(57)【要約】【課題】バッテリーユニットなどのユニット部材を機器本体に簡単に装着するとともに、その電気接続されたユニットコネクタおよび本体コネクタを外部から確実に密閉することができる、電気機器を提供する。【解決手段】携帯電話本体１００の本体ハウジング１１０の後面の下端から途中まで形成されているスライド凹部１１１と、バッテリーユニット２００のユニットハウジング２１０の前面の下端から途中まで形成されているスライド凸部２１１と、が相互にスライド自在に係合する。本体ハウジング１１０のスライド凹部１１１の上端に形成されている本体コネクタ１２０と、ユニットハウジング２１０のスライド凸部２１１の上端に形成されているユニットコネクタ２２０とが、接続される。本体コネクタ１２０の外周面に装着されている無端体状の密閉パッキン１３０と、ユニットコネクタ２２０の外側に管状に形成されている密閉部材２３０の内周面とが密着する。【選択図】図１
2014093231.tif 000002
【特許請求の範囲】
【請求項１】
スライド凸部およびスライド凹部の、ユニット部材のユニットハウジングの表面に形成されている一方とスライド挿抜される他方が、裏面の一端から途中まで形成されている本体ハウジングと、
前記本体ハウジングに形成されている前記他方の他端に形成されていて、前記ユニット部材に形成されている前記一方の他端に形成されているユニットコネクタとスライド方向に接続される本体コネクタと、
前記本体コネクタの外周面に装着されていて、前記ユニットコネクタの外側に形成されている管状の密閉部材の内周面が、外周面に密着する無端体状の密閉パッキンと、
を有している機器本体。
【請求項２】
スライド凸部およびスライド凹部の、ユニット部材のユニットハウジングの表面に形成されている一方とスライド挿抜される他方が、裏面の一端から途中まで形成されている本体ハウジングと、
前記本体ハウジングに形成されている前記他方の他端に形成されていて、前記ユニット部材に形成されている前記一方の他端に形成されているユニットコネクタとスライド方向に接続される本体コネクタと、
前記本体コネクタの外側に管状に形成されていて、前記ユニットコネクタの外周面に装着されている無端体状の密閉パッキンが密着する、内周面が形成されている密閉部材と、
を有している機器本体。
【請求項３】
前記密閉パッキンは、前記密閉部材が圧入される方向に従って厚さが大きくなっている、請求項１または２に記載の機器本体。
【請求項４】
前記密閉パッキンは、前記密閉部材が圧入される方向に変形する、
請求項３に記載の機器本体。
【請求項５】
スライド凸部およびスライド凹部の、機器本体の本体ハウジングの表面に形成されている一方とスライド挿抜される他方が、裏面の一端から途中まで形成されているユニットハウジングと、
前記ユニットハウジングに形成されている前記他方の他端に形成されていて、前記機器本体に形成されている前記一方の他端に形成されている本体コネクタとスライド方向に接続されるユニットコネクタと、
前記ユニットコネクタの外周面に装着されていて、前記本体コネクタの外側に形成されている管状の密閉部材の内周面が、外周面に密着する無端体状の密閉パッキンと、
を有しているユニット部材。
【請求項６】
スライド凸部およびスライド凹部の、機器本体の本体ハウジングの表面に形成されている一方とスライド挿抜される他方が、裏面の一端から途中まで形成されているユニットハウジングと、
前記ユニットハウジングに形成されている前記他方の他端に形成されていて、前記機器本体に形成されている前記一方の他端に形成されている本体コネクタとスライド方向に接続される本体コネクタと、
前記ユニットコネクタの外側に管状に形成されていて、前記本体コネクタの外周面に装着されている無端体状の密閉パッキンが密着する、内周面が形成されている密閉部材と、
を有しているユニット部材。
【請求項７】
相互にスライド挿抜されるスライド凸部およびスライド凹部の、一方が表面の一端から途中まで形成されているユニット部材のユニットハウジングと、
他方が裏面の一端から途中まで形成されている機器本体の本体ハウジングと、
前記ユニット部材に形成されている前記一方の他端に形成されているユニットコネクタと、
前記本体ハウジングに形成されている前記他方の他端に形成されていて一方とスライド方向に接続される本体コネクタと、
前記本体コネクタの外周面に装着されている無端体状の密閉パッキンと、
前記ユニットコネクタの外側に管状に形成されていて、内周面に前記密閉パッキンが密着する密閉部材と、
を有している電気機器。
【請求項８】
相互にスライド挿抜されるスライド凸部およびスライド凹部の、一方が表面の一端から途中まで形成されているユニット部材のユニットハウジングと、
他方が裏面の一端から途中まで形成されている機器本体の本体ハウジングと、
前記ユニット部材に形成されている前記一方の他端に形成されているユニットコネクタと、
前記本体ハウジングに形成されている前記他方の他端に形成されていて一方とスライド方向に接続される本体コネクタと、
前記ユニットコネクタの外周面に装着されている無端体状の密閉パッキンと、
前記本体コネクタの外側に管状に形成されていて、内周面が前記密閉パッキンに密着する密閉部材と、
を有している電気機器。
【請求項９】
相互にスライド挿抜するスライド凸部およびスライド凹部の、一方が表面の一端から途中まで形成されているユニット部材のユニットハウジングに、他方が裏面の一端から途中まで形成されている機器本体の本体ハウジングを、前記スライド凸部および前記スライド凹部の係合で一体に接合し、
前記ユニット部材に形成されている前記一方の他端に形成されているユニットコネクタ、および、前記本体ハウジングに形成されている前記他方の他端に形成されていて、一方とスライド方向に接続される本体コネクタ、を電気接続し、
前記本体コネクタの外周面に装着されている無端体状の密閉パッキンを前記ユニットコネクタの外側に管状に形成されている密閉部材の内周面に密着させる、
電気機器の密閉方法。
【請求項１０】
相互にスライド挿抜するスライド凸部およびスライド凹部の、一方が表面の一端から途中まで形成されているユニット部材のユニットハウジングに、他方が裏面の一端から途中まで形成されている機器本体の本体ハウジングを、前記スライド凸部および前記スライド凹部の係合で一体に接合し、
前記ユニット部材に形成されている前記一方の他端に形成されているユニットコネクタ、および、前記本体ハウジングに形成されている前記他方の他端に形成されていて一方とスライド方向に接続される本体コネクタ、を電気接続し、
前記ユニットコネクタの外周面に装着されている無端体状の密閉パッキンを前記本体コネクタの外側に管状に形成されている密閉部材の内周面に密着させる、
電気機器の密閉方法。
【発明の詳細な説明】
【技術分野】
【０００１】
本発明は、ユニット部材を着脱自在な機器本体、機器本体に着脱自在なユニット部材、機器本体にユニット部材を装着した電気機器、電気機器の密閉方法、に関する。
【背景技術】
【０００２】
電気機器である携帯電話端末などは、機器本体にユニット部材であるバッテリーユニットを装着している。このようなバッテリーユニットは、消耗品であるために機器本体に着脱自在に装着されている。一般的な携帯電話端末では、機器本体の一面に凹部が形成されており、その凹部に平板状のバッテリーユニットを装填する。このような状態で機器本体の凹部にバッテリーカバーを装着することにより、バッテリーユニットを封止する。
【０００３】
なお、防水タイプの携帯電話端末などでは、機器本体とバッテリーカバーとの境界部分にＯリングなどのパッキンを装着しており、交換されたバッテリーユニットを密閉する。しかしながら、上述のような携帯電話端末では、バッテリーユニットのサイズが機器本体の凹部のサイズに制限されている。このため、バッテリーユニットを大容量で大型の製品に換装することなどができない。
【０００４】
たとえば、機器本体の裏面に、サブバッテリー、メインバッテリー、バッテリーカバー、を順番にスライドイン構造で装着した携帯電話端末の提案がある（たとえば、特許文献１参照）。この携帯電話端末では、機器本体にサブバッテリーを装着したままメインバッテリーのみ交換することにより、消耗したメインバッテリーを交換している最中にもサブバッテリーで機器本体を使用することができる。
【０００５】
とくに、この携帯電話端末では、機器本体の裏面全域にスライドインでサブバッテリーを装着し、サブバッテリーの裏面全域に同様にスライドインでメインバッテリーを装着し、メインバッテリーの裏面全域に同様にスライドインでバッテリーカバーを装着している。このため、機器本体の裏面にメインバッテリーとバッテリーカバーのみを装着したり、機器本体の裏面にサブバッテリーとバッテリーカバーのみを装着するようなこともできる。
【０００６】
同様に、機器本体の一面に同様なサイズのバッテリーユニットを、スライドインで装着できるようにした携帯電話端末の提案がある（たとえば、特許文献２，３参照）。
【先行技術文献】
【特許文献】
【０００７】
【特許文献１】特開平１０−０６５７７６号公報
【特許文献２】実開昭５４−０２４６２８号公報
【特許文献３】実開昭５６−０５１２５７号公報
【発明の概要】
【発明が解決しようとする課題】
【０００８】
上述のように、機器本体の一面に同様なサイズのバッテリーユニットを、スライドインで装着できるようにした、各種の携帯電話端末の提案がある。しかしながら、これらの携帯電話端末では、防水性能を考慮していない。このため、機器本体にバッテリーユニットを装着した携帯電話端末を浸水したような場合、機器本体とバッテリーユニットとの間隙に水分が侵入し、故障の原因となることがある。
【０００９】
一方、前述のように防水性能を考慮した携帯電話端末の場合、機器本体の凹部に扁平なバッテリーユニットを装填してから、パッキンを介してバッテリーカバーを機器本体の凹部に装着する。しかしながら、これは手作業でバッテリーカバーを機器本体に装着するとき、そのバッテリーカバーによりパッキンを圧縮することになる。このため、バッテリーカバーの装着が容易ではなく、パッキンのズレなどにより防水性能が阻害されることもある。
【００１０】
本発明は上述のような課題に鑑みてなされたものであり、バッテリーユニットなどのユニット部材を機器本体に簡単に装着するとともに、その電気接続されたユニットコネクタおよび本体コネクタを外部から確実に密閉することができる、機器本体、ユニット部材、電気機器、その密閉方法、を提供するものである。
【課題を解決するための手段】
【００１１】
本発明の第一の機器本体は、スライド凸部およびスライド凹部の、ユニット部材のユニットハウジングの表面に形成されている一方とスライド挿抜される他方が、裏面の一端から途中まで形成されている本体ハウジングと、前記本体ハウジングに形成されている前記他方の他端に形成されていて、前記ユニット部材に形成されている前記一方の他端に形成されているユニットコネクタとスライド方向に接続される本体コネクタと、前記本体コネクタの外周面に装着されていて、前記ユニットコネクタの外側に形成されている管状の密閉部材の内周面が、外周面に密着する無端体状の密閉パッキンと、を有している。
【００１２】
本発明の第二の機器本体は、スライド凸部およびスライド凹部の、ユニット部材のユニットハウジングの表面に形成されている一方とスライド挿抜される他方が、裏面の一端から途中まで形成されている本体ハウジングと、前記本体ハウジングに形成されている前記他方の他端に形成されていて、前記ユニット部材に形成されている前記一方の他端に形成されているユニットコネクタとスライド方向に接続される本体コネクタと、前記本体コネクタの外側に管状に形成されていて、前記ユニットコネクタの外周面に装着されている無端体状の密閉パッキンが密着する、内周面が形成されている密閉部材と、を有している。
【００１３】
本発明の第一のユニット部材は、スライド凸部およびスライド凹部の、機器本体の本体ハウジングの表面に形成されている一方とスライド挿抜される他方が、裏面の一端から途中まで形成されているユニットハウジングと、前記ユニットハウジングに形成されている前記他方の他端に形成されていて、前記機器本体に形成されている前記一方の他端に形成されている本体コネクタとスライド方向に接続されるユニットコネクタと、前記ユニットコネクタの外周面に装着されていて、前記本体コネクタの外側に形成されている管状の密閉部材の内周面が、外周面に密着する無端体状の密閉パッキンと、を有している。
【００１４】
本発明の第二のユニット部材は、スライド凸部およびスライド凹部の、機器本体の本体ハウジングの表面に形成されている一方とスライド挿抜される他方が、裏面の一端から途中まで形成されているユニットハウジングと、前記ユニットハウジングに形成されている前記他方の他端に形成されていて、前記機器本体に形成されている前記一方の他端に形成されている本体コネクタとスライド方向に接続される本体コネクタと、前記ユニットコネクタの外側に管状に形成されていて、前記本体コネクタの外周面に装着されている無端体状の密閉パッキンが密着する、内周面が形成されている密閉部材と、を有している。
【００１５】
本発明の第一の電気機器は、スライド凸部およびスライド凹部の、ユニット部材のユニットハウジングの表面に形成されている一方とスライド挿抜される他方が、裏面の一端から途中まで形成されている機器本体の本体ハウジングと、前記ユニット部材に形成されている前記一方の他端に形成されているユニットコネクタと、前記本体ハウジングに形成されている前記他方の他端に形成されていて一方とスライド方向に接続される本体コネクタと、前記本体コネクタの外周面に装着されている無端体状の密閉パッキンと、前記ユニットコネクタの外側に管状に形成されていて、内周面に前記密閉パッキンが密着する密閉部材と、を有している。
【００１６】
本発明の第二の電気機器は、スライド凸部およびスライド凹部の、ユニット部材のユニットハウジングの表面に形成されている一方とスライド挿抜される他方が、裏面の一端から途中まで形成されている機器本体の本体ハウジングと、前記ユニット部材に形成されている前記一方の他端に形成されているユニットコネクタと、前記本体ハウジングに形成されている前記他方の他端に形成されていて一方とスライド方向に接続される本体コネクタと、前記ユニットコネクタの外周面に装着されている無端体状の密閉パッキンと、前記本体コネクタの外側に管状に形成されていて、内周面が前記密閉パッキンに密着する密閉部材と、を有している。
【００１７】
本発明の第一の密閉方法は、相互にスライド挿抜するスライド凸部およびスライド凹部の、一方が表面の一端から途中まで形成されているユニット部材のユニットハウジングに、他方が裏面の一端から途中まで形成されている機器本体の本体ハウジングを、前記スライド凸部および前記スライド凹部の係合で一体に接合し、前記ユニット部材に形成されている前記一方の他端に形成されているユニットコネクタ、および、前記本体ハウジングに形成されている前記他方の他端に形成されていて一方とスライド方向に接続される本体コネクタ、を電気接続し、前記本体コネクタの外周面に装着されている無端体状の密閉パッキンを前記ユニットコネクタの外側に管状に形成されている密閉部材の内周面に密着させる。
【００１８】
本発明の第二の密閉方法は、相互にスライド挿抜するスライド凸部およびスライド凹部の、一方が表面の一端から途中まで形成されているユニット部材のユニットハウジングに、他方が裏面の一端から途中まで形成されている機器本体の本体ハウジングを、前記スライド凸部および前記スライド凹部の係合で一体に接合し、前記ユニット部材に形成されている前記一方の他端に形成されているユニットコネクタ、および、前記本体ハウジングに形成されている前記他方の他端に形成されていて一方とスライド方向に接続される本体コネクタ、を電気接続し、前記ユニットコネクタの外周面に装着されている無端体状の密閉パッキンを前記本体コネクタの外側に管状に形成されている密閉部材の内周面に密着させる。
【発明の効果】
【００１９】
本発明では、スライド凸部およびスライド凹部を係合させてスライド移動させることにより、機器本体にユニット部材を簡単に装着するとともに、本体コネクタとユニットコネクタとを接続することができ、さらには、この接続された本体コネクタおよびユニットコネクタを、密閉パッキンおよび密閉部材の密着により外部から密閉することができる。
【図面の簡単な説明】
【００２０】
【図１】本発明の実施の形態における電気機器である携帯電話端末の機器本体である携帯電話本体にユニット部材であるバッテリーユニットを装着する状態の携帯電話本体を示す模式的な斜視図である。
【図２】本発明の実施の形態における携帯電話端末の携帯電話本体にバッテリーユニットを装着する状態のバッテリーユニットを示す模式的な斜視図である。
【図３】本発明の実施の形態における携帯電話端末の構造を示す三面図である。
【図４】本発明の実施の形態における携帯電話端末の携帯電話本体にユニット部材であるバッテリーユニットを装着する状態を示す模式的な縦断側面図である。
【図５】本発明の実施の形態における携帯電話端末の携帯電話本体にバッテリーユニットを装着する状態を示す模式的な縦断側面図である。
【図６】本発明の実施の形態における携帯電話端末の携帯電話本体にバッテリーユニットを装着した状態を示す模式的な縦断側面図である。
【図７】本発明の実施の形態における携帯電話端末の外観を示す斜視図である。
【図８】本発明の実施の形態における携帯電話端末の携帯電話本体にバッテリーユニットを装着する状態を示す斜視図である。
【図９】本発明の実施の形態における携帯電話端末のバッテリーユニットの外観を示す斜視図である。
【図１０】本発明の実施の形態における携帯電話端末の本体コネクタおよびユニットコネクタの接続工程を示す模式的な縦断正面図である。
【図１１】本発明の実施の形態における携帯電話端末の本体コネクタの構造を示す二面図である。
【図１２】本発明の実施の形態における携帯電話端末のユニットコネクタの構造を示す二面図である。
【図１３】本発明の実施の形態における携帯電話端末の一の変形例の携帯電話本体にバッテリーユニットを装着する状態を示す模式的な縦断側面図である。
【図１４】本発明の実施の形態における携帯電話端末の一の変形例の携帯電話本体にバッテリーユニットを装着する状態の携帯電話本体を示す模式的な縦断側面図である。
【図１５】本発明の実施の形態における携帯電話端末の他の変形例の携帯電話本体にバッテリーユニットを装着する状態を示す模式的な縦断側面図である。
【図１６】本発明の実施の形態における携帯電話端末の他の変形例の携帯電話本体にバッテリーユニットを装着する状態の携帯電話本体を示す模式的な縦断側面図である。
【図１７】本発明の実施の形態における携帯電話端末の更に他の変形例の携帯電話本体にバッテリーユニットを装着する状態を示す模式的な縦断側面図である。
【図１８】本発明の実施の形態における携帯電話端末の更に他の変形例の携帯電話本体にバッテリーユニットを装着する状態の携帯電話本体を示す模式的な縦断側面図である。
【図１９】本発明の実施の形態における携帯電話端末の他の変形例の本体コネクタとユニットコネクタとを接続する状態を示す模式的な分解斜視図である。
【図２０】本発明の実施の形態における携帯電話端末の他の変形例の本体コネクタとユニットコネクタとを接続する状態を示す模式的な縦断側面図である。
【図２１】本発明の実施の形態における携帯電話端末の他の変形例の本体コネクタとユニットコネクタとを接続した状態を示す模式的な縦断側面図である。
【発明を実施するための形態】
【００２１】
本発明の実施の一形態に関して図１ないし図１２を参照して以下に説明する。本発明の電気機器であり携帯端末装置である携帯電話端末１０は、図１ないし図８に示すように、機器本体である携帯電話本体１００と、ユニット部材であるバッテリーユニット２００と、を有している。
【００２２】
本実施の形態の携帯電話本体１００は、図１に示すように、バッテリーユニット２００のユニットハウジング２１０の表面に形成されているスライド凹部１１１とスライド挿抜されるスライド凸部２１１が、裏面の一端から途中まで形成されている本体ハウジング１１０を有している。さらに、本実施の形態の携帯電話本体１００は、本体ハウジング１１０のスライド凹部１１１の他端に形成されていて、バッテリーユニット２００のスライド凸部２１１の他端に形成されているユニットコネクタ２２０とスライド方向に接続される、本体コネクタ１２０を有している。そして、本実施の形態の携帯電話本体１００は、本体コネクタ１２０の外周面に装着されていて、ユニットコネクタ２２０の外側に形成されている管状の密閉部材である密閉リブ２３０の内周面が、外周面に密着する無端体状の密閉パッキン１３０を有している。
【００２３】
一方、本実施の形態のバッテリーユニット２００は、携帯電話本体１００の本体ハウジング１１０の表面に形成されているスライド凹部１１１とスライド挿抜されるスライド凸部２１１が、裏面の一端から途中まで形成されているユニットハウジング２１０を有している。本実施の形態のバッテリーユニット２００は、ユニットハウジング２１０のスライド凸部２１１の他端に形成されていて、携帯電話本体１００のスライド凹部１１１の他端に形成されている本体コネクタ１２０とスライド方向に接続される、ユニットコネクタ２２０を有している。本実施の形態のバッテリーユニット２００は、ユニットコネクタ２２０の外側に管状に形成されていて、本体コネクタ１２０の外周面に装着されている無端体状の密閉パッキン１３０が密着する、内周面が形成されている密閉リブ２３０を有している。
【００２４】
したがって、本実施の形態の携帯電話端末１００は、図２に示すように、スライド凹部１１１が表面の一端から途中まで形成されているバッテリーユニット２００のユニットハウジング２１０と、スライド凸部２１１が裏面の一端から途中まで形成されている携帯電話本体１００の本体ハウジング１１０と、バッテリーユニット２００に形成されているスライド凹部１１１の他端に形成されているユニットコネクタ２２０と、本体ハウジング１１０に形成されているスライド凸部２１１の他端に形成されていてスライド凹部１１１とスライド方向に接続される本体コネクタ１２０と、本体コネクタ１２０の外周面に装着されている無端体状の密閉パッキン１３０と、ユニットコネクタ２２０の外側に管状に形成されていて、内周面に密閉パッキン１３０が密着する密閉リブ２３０と、を有している。
【００２５】
より具体的には、本実施の形態の携帯電話本体１００は、前後方向に扁平で上下方向に細長形状の直方体状の本体ハウジング１１０を有している。この携帯電話本体１００は、図７に示すように、上述のような本体ハウジング１１０の前面上部にスピーカユニット１０１、前面下部にマイクロフォンユニット１０２、前面の略全域にタッチパネル１０３、が設けられている。これらの、スピーカユニット１０１、マイクロフォンユニット１０２、タッチパネル１０３は、当然ながらバッテリーユニット２００から供給される電力で駆動される。
【００２６】
また、バッテリーユニット２００も、前後方向に扁平で上下方向に細長形状の直方体状のユニットハウジング２１０を有している。図３および図７などに示すように、このユニットハウジング２１０と本体ハウジング１１０とは同一の正面形状に形成されており、本体ハウジング１１０の裏側である後側に、ユニットハウジング２１０が一体に装着される。このため、図１ないし図６などに示すように、携帯電話本体１００は、本体ハウジング１１０の後面の一端である下端から上方の途中までスライド凹部１１１が形成されている。バッテリーユニット２００は、ユニットハウジング２１０の表面の下端から上方の途中までスライド凸部２１１が形成されている。
【００２７】
これらのスライド凸部２１１およびスライド凹部１１１は、相互に係合して上下方向にスライド自在な形状に形成されている。具体的には、スライド凹部１１１は、後部より前部が拡開した台形の平面形状の、いわゆるアリミゾ状に形成されており、スライド凸部２１１は、スライド凹部１１１に対応して、後部より前部が拡開した台形の平面形状の、いわゆるアリホゾ状に形成されている。
【００２８】
なお、図９に示すように、スライド凸部２１１の下端にはガタツキ防止のために拡開部２１２が形成されており、これに対応した拡開部（図示せず）がスライド凹部１１１にも形成されている。さらには、このスライド凸部２１１の下端の拡開部２１２およびスライド凹部１１１の下端の拡開部は、携帯電話本体１００へのバッテリーユニット２００のスライド挿入の完了を、クリック感とクリック音で利用者に認識させる、ラッチ機構にもなっている。
【００２９】
そして、携帯電話本体１００は、本体ハウジング１１０に形成されているスライド凹部１１１の上端に本体コネクタ１２０が形成されており、バッテリーユニット２００は、ユニットハウジング２１０のスライド凸部２１１の上端にユニットコネクタ２２０が形成されている。
【００３０】
本体コネクタ１２０は、図１および図１１などに示すように、円柱状のコネクタ基部１２１、このコネクタ基部１２１の先端である下端に並列に突設されている一対のコネクタ電極１２２，１２３からなる。コネクタ基部１２１は、外周面上にＯリングなどの無端体状の密閉パッキン１３０が、圧着や嵌合や接着などにより装着されている。ユニットコネクタ２２０は、図１および図１２などに示すように、円柱状のコネクタ基部２２１、このコネクタ基部２２１の先端である上端に並列に突設されている一対のコネクタ電極２２２，２２３からなる。このユニットコネクタ２２０の外側に、密閉パッキン１３０が圧着により内周面に密着する、密閉部材である密閉リブ２３０が管状に形成されている。
【００３１】
前述のように携帯電話本体１００のスライド凹部１１１にバッテリーユニット２００のスライド凸部２１１が下方から係合されてスライド移動されると、図４ないし図６に示すように、携帯電話本体１００の本体コネクタ１２０の一対のコネクタ電極１２２，１２３と、バッテリーユニット２００のユニットコネクタ２２０の一対のコネクタ電極２２２，２２３と、が個々に圧接されて電気接続される。
【００３２】
このとき、図６および図１０に示すように、携帯電話本体１００の本体コネクタ１２０の外周面に装着されている密閉パッキン１３０に、バッテリーユニット２００の密閉リブ２３０の内周面が密着する。このため、上述のように個々に電気接続された携帯電話本体１００の一対のコネクタ電極１２２，１２３と、バッテリーユニット２００の一対のコネクタ電極２２２，２２３とは、本体コネクタ１２０の外周面と密閉リブ２３０の内周面とに密着している密閉パッキン１３０により外部から密閉される。
【００３３】
本実施の形態の携帯電話端末１０は、上述のようにスライド凸部２１１およびスライド凹部１１１を係合させてスライド移動させることにより、携帯電話本体１００にバッテリーユニット２００を簡単に装着することができる。しかも、本体コネクタ１２０とユニットコネクタ２２０とを電気接続することができ、さらには、この電気接続した本体コネクタ１２０およびユニットコネクタ２２０を、密閉パッキン１３０および密閉リブ２３０の密着により外部から密閉することができる。
【００３４】
このため、バッテリーユニット２００を携帯電話本体１００に簡単に装着して電気接続するとともに、その電気接続されたユニットコネクタ２２０および本体コネクタ１２０を外部から確実に密閉することができる。したがって、本実施の形態の携帯電話端末１０では、携帯電話本体１００およびバッテリーユニット２００の、電気接続された本体コネクタ１２０およびユニットコネクタ２２０の、防水性能および防塵性能を確実に確保することができる。
【００３５】
しかも、本実施の形態の携帯電話端末１０では、上述のように携帯電話本体１００の後側に、簡単に別体のバッテリーユニット２００を一体に装着することができる。このため、消耗したバッテリーユニット２００を簡単に交換することができるだけでなく、たとえば、標準のバッテリーユニット２００を、小容量で薄型のバッテリーユニットや大容量で厚型のバッテリーユニットに簡単に換装するようなこともできる（図示せず）。
【００３６】
なお、本実施の形態では前後左右上下の方向を規定しているが、これは本発明の構成要素の相対関係を簡単に説明するために便宜的に規定したものであり、本発明を実施する場合の製造時や使用時の方向を限定するものではない。
【００３７】
また、本発明で云う「無端体状」とは、いわゆる環状などと同等な意味であるが、その全体形状が円形である必要はなく、台形などの矩形や多角形や三角形などに形成されていてもよい。同様に、本発明で云う「管状」とは、いわゆる筒状などと同等な意味であるが、その開口形状も円形である必要はなく、台形などの矩形や多角形や三角形などに形成されていてもよい。
【００３８】
また、本発明は本実施の形態に限定するものではなく、その要旨を逸脱しない範囲で各種の変形を許容する。たとえば、上記形態では電気機器が携帯端末装置である携帯電話端末からなることを例示した。しかしながら、このような電気機器が、スマートフォン、タブレットＰＣ(Personal Computer)、ネットブックＰＣ、ノートＰＣ、ＰＤＡ(Personal Data Assistants)、電子辞書、携帯ゲーム機、ポータブルナビゲーションシステム、などでもよい。また、上記形態ではユニット部材がバッテリーユニット２００からなることを例示した。しかしながら、ユニット部材として、電気接続と密閉性とを必要とする各種ユニットを利用することもできる。
【００３９】
さらには、上記形態では携帯電話端末１０の携帯電話本体１００の本体コネクタ１２０の外周面に密閉パッキン１３０が装着されているととともに、バッテリーユニット２００のユニットコネクタ２２０の外側に密閉リブ２３０が形成されていることを例示した。しかしながら、電気機器として例示する携帯端末装置である携帯電話端末２０が、図１３に例示するように形成されていてもよい。
【００４０】
この携帯電話端末２０は、バッテリーユニット２００のユニットハウジング２１０の表面に形成されているスライド凸部２１１とスライド挿抜されるスライド凹部１１１が、裏面の一端から途中まで形成されている本体ハウジング１１０を有している。また、この携帯電話端末２０は、本体ハウジング１１０のスライド凹部１１１の他端に形成されていて、ユニットハウジング２１０のスライド凸部２１１の他端に形成されているユニットコネクタ１２０とスライド方向に接続される、本体コネクタ２２０を有している。さらに、この携帯電話端末２０は、本体コネクタ２２０の外側に管状に形成されていて、ユニットコネクタ１２０の外周面に装着されている無端体状の密閉パッキン１３０が密着する、内周面が形成されている密閉リブ２３０を有している。
【００４１】
また、この携帯電話端末２０は、携帯電話本体１００の本体ハウジング１１０の表面に形成されているスライド凹部１１１とスライド挿抜されるスライド凸部２１１が、裏面の一端から途中まで形成されているユニットハウジング２１０を有している。さらに、この携帯電話端末２０は、ユニットハウジング２１０のスライド凸部２１１の他端に形成されていて、携帯電話本体１００のスライド凹部１１１の他端に形成されている本体コネクタ２２０とスライド方向に接続される、ユニットコネクタ１２０を有している。そして、この携帯電話端末２０は、ユニットコネクタ１２０の外周面に装着されていて、本体コネクタ２２０の外側に形成されている管状の密閉リブ２３０の内周面が、外周面に密着する無端体状の密閉パッキン１３０を有している。
【００４２】
したがって、図１４に示すように、その携帯電話本体１００は、バッテリーユニット２００のユニットハウジング２１０の表面に形成されているスライド凸部２１１とスライド挿抜されるスライド凹部１１１が、裏面の一端から途中まで形成されている本体ハウジング１１０を有している。さらに、本体ハウジング１１０のスライド凹部１１１の他端に形成されていて、ユニットハウジング２１０のスライド凸部２１１の他端に形成されているユニットコネクタ１２０とスライド方向に接続される、本体コネクタ２２０を有している。そして、本体コネクタ２２０の外側に管状に形成されていて、ユニットコネクタ１２０の外周面に装着されている無端体状の密閉パッキン１３０が密着する、内周面が形成されている密閉リブ２３０を有している。
【００４３】
また、そのバッテリーユニット２００は、携帯電話本体１００の本体ハウジング１１０の表面に形成されているスライド凹部１１１とスライド挿抜されるスライド凸部２１１が、裏面の一端から途中まで形成されているユニットハウジング２１０を有している。さらに、ユニットハウジング２１０のスライド凸部２１１の他端に形成されていて、携帯電話本体１００のスライド凹部１１１の他端に形成されている本体コネクタ２２０とスライド方向に接続される、ユニットコネクタ１２０を有している。そして、ユニットコネクタ１２０の外周面に装着されていて、本体コネクタ２２０の外側に形成されている管状の密閉リブ２３０の内周面が、外周面に密着する無端体状の密閉パッキン１３０を有している。
【００４４】
さらには、上記形態では携帯電話端末１０の、携帯電話本体１００の本体ハウジング１１０にスライド凹部１１１が形成されており、バッテリーユニット２００のユニットコネクタ２１０にスライド凸部２１１が形成されていることを例示した。しかしながら、電気機器として例示する携帯端末装置である携帯電話端末４０が、図１５に例示するように形成されていてもよい。
【００４５】
この携帯電話端末４０は、バッテリーユニット２００のユニットハウジング２１０の表面に形成されているスライド凹部１１１とスライド挿抜されるスライド凸部２１１が、裏面の一端から途中まで形成されている本体ハウジング１１０を有している。さらに、この携帯電話端末４０は、本体ハウジング１１０のスライド凸部２１１の他端に形成されていて、ユニットハウジング２１０のスライド凹部１１１の他端に形成されているユニットコネクタ２２０とスライド方向に接続される、本体コネクタ１２０を有している。そして、この携帯電話端末４０は、本体コネクタ１２０の外周面に装着されていて、ユニットコネクタ２２０の外側に形成されている管状の密閉リブ２３０の内周面が、外周面に密着する無端体状の密閉パッキン１３０を有している。
【００４６】
また、この携帯電話端末４０は、携帯電話本体１００の本体ハウジング１１０の表面に形成されているスライド凸部２１１とスライド挿抜されるスライド凹部１１１が、裏面の一端から途中まで形成されているユニットハウジング２１０を有している。さらに、この携帯電話端末４０は、ユニットハウジング２１０のスライド凹部１１１の他端に形成されていて、携帯電話本体１００のスライド凸部２１１の他端に形成されている本体コネクタ１２０とスライド方向に接続される、ユニットコネクタ２２０を有している。そして、この携帯電話端末４０は、本体コネクタ１２０の外側に管状に形成されていて、ユニットコネクタ２２０の外周面に装着されている無端体状の密閉パッキン１３０が密着する、内周面が形成されている密閉リブ２３０を有している。
【００４７】
したがって、図１６に示すように、その携帯電話本体１００は、バッテリーユニット２００のユニットハウジング２１０の表面に形成されているスライド凹部１１１とスライド挿抜されるスライド凸部２１１が、裏面の一端から途中まで形成されている本体ハウジング１１０を有している。さらに、本体ハウジング１１０のスライド凸部２１１の他端に形成されていて、ユニットハウジング２１０のスライド凹部１１１の他端に形成されているユニットコネクタ２２０とスライド方向に接続される、本体コネクタ１２０を有している。そして、本体コネクタ１２０の外周面に装着されていて、ユニットコネクタ２２０の外側に形成されている管状の密閉リブ２３０の内周面が、外周面に密着する無端体状の密閉パッキン１３０を有している。
【００４８】
また、そのバッテリーユニット２００は、携帯電話本体１００の本体ハウジング１１０の表面に形成されているスライド凸部２１１とスライド挿抜されるスライド凹部１１１が、裏面の一端から途中まで形成されているユニットハウジング２１０を有している。さらに、ユニットハウジング２１０のスライド凹部１１１の他端に形成されていて、携帯電話本体１００のスライド凸部２１１の他端に形成されている本体コネクタ１２０とスライド方向に接続される、ユニットコネクタ２２０を有している。そして、本体コネクタ１２０の外側に管状に形成されていて、ユニットコネクタ２２０の外周面に装着されている無端体状の密閉パッキン１３０が密着する、内周面が形成されている密閉リブ２３０を有している。
【００４９】
さらには、上記形態では携帯電話端末１０の、携帯電話本体１００のスライド凹部１１１に形成されている本体コネクタ１２０の外周面に密閉パッキン１３０が装着されているととともに、バッテリーユニット２００のスライド凸部２１１に形成されているユニットコネクタ２２０の外側に密閉リブ２３０が形成されていることを例示した。しかしながら、図１７に例示するように、電気機器として例示する携帯端末装置である携帯電話端末５０が、形成されていてもよい。
【００５０】
したがって、この携帯電話端末５０は、バッテリーユニット２００のユニットハウジング２１０の表面に形成されているスライド凹部１１１とスライド挿抜されるスライド凸部２１１が、裏面の一端から途中まで形成されている本体ハウジング１１０を有している。さらに、この携帯電話端末５０は、本体ハウジング１１０のスライド凸部２１１の他端に形成されていて、ユニットハウジング２１０のスライド凹部１１１の他端に形成されているユニットコネクタ２２０とスライド方向に接続される、本体コネクタ１２０を有している。そして、この携帯電話端末５０は、本体コネクタ２２０の外側に管状に形成されていて、ユニットコネクタ１２０の外周面に装着されている無端体状の密閉パッキン１３０が密着する、内周面が形成されている密閉リブ２３０を有している。
【００５１】
また、この携帯電話端末５０は、携帯電話本体１００の本体ハウジング１１０の表面に形成されているスライド凸部２１１とスライド挿抜されるスライド凹部１１１が、裏面の一端から途中まで形成されているユニットハウジング２１０を有している。さらに、この携帯電話端末５０は、ユニットハウジング２１０のスライド凹部１１１の他端に形成されていて、携帯電話本体１００のスライド凸部２１１の他端に形成されている本体コネクタ１２０とスライド方向に接続される、ユニットコネクタ２２０を有している。そして、この携帯電話端末５０は、ユニットコネクタ１２０の外周面に装着されていて、本体コネクタ２２０の外側に形成されている管状の密閉リブ２３０の内周面が、外周面に密着する無端体状の密閉パッキン１３０を有している。
【００５２】
したがって、図１８に示すように、その携帯電話本体１００は、バッテリーユニット２００のユニットハウジング２１０の表面に形成されているスライド凹部１１１とスライド挿抜されるスライド凸部２１１が、裏面の一端から途中まで形成されている本体ハウジング１１０を有している。さらに、本体ハウジング１１０のスライド凸部２１１の他端に形成されていて、ユニットハウジング２１０のスライド凹部１１１の他端に形成されているユニットコネクタ２２０とスライド方向に接続される、本体コネクタ１２０を有している。そして、本体コネクタ２２０の外側に管状に形成されていて、ユニットコネクタ１２０の外周面に装着されている無端体状の密閉パッキン１３０が密着する、内周面が形成されている密閉リブ２３０を有している。
【００５３】
また、そのバッテリーユニット２００は、携帯電話本体１００の本体ハウジング１１０の表面に形成されているスライド凸部２１１とスライド挿抜されるスライド凹部１１１が、裏面の一端から途中まで形成されているユニットハウジング２１０を有している。さらに、ユニットハウジング２１０のスライド凹部１１１の他端に形成されていて、携帯電話本体１００のスライド凸部２１１の他端に形成されている本体コネクタ１２０とスライド方向に接続される、ユニットコネクタ２２０を有している。そして、ユニットコネクタ１２０の外周面に装着されていて、本体コネクタ２２０の外側に形成されている管状の密閉リブ２３０の内周面が、外周面に密着する無端体状の密閉パッキン１３０を有している。
【００５４】
また、上記形態では、本体コネクタ１２０は、下端に一対のコネクタ電極１２２，１２３が並列に突設されている円柱状のコネクタ基部１２１の外周面上に円環状の密閉パッキン１３０が装着されており、ユニットコネクタ２２０は、一対のコネクタ電極２２２，２２３が上端に並列に突設されている円柱状のコネクタ基部２２１の外側に密閉リブ２３０が円管状に形成されていることを例示した。
【００５５】
しかしながら、図１９ないし図２１に例示する電気機器の要部３０のように、本体ハウジング１１０のスライド凹部（図示せず）の上端下面に、前後方向に扁平な台形管状の平面形状の本体コネクタ１４１が突設されており、その内部に一対のコネクタ電極１４２，１４３が形成されており、本体コネクタ１４１の外周面上に密閉パッキン１５０が圧着により装着されていてもよい。
【００５６】
この場合、ユニットハウジング（図示せず）のスライド凸部の上端上面には、前後方向に扁平な台形管状の平面形状の密閉部材である密閉リブ２４０が形成されており、この密閉リブ２４０の内部に、ユニットコネクタ２５０のコネクタ基部２５１と一対のコネクタ電極２５２，２５３が位置すればよい。つまり、本体コネクタや密閉リブの形状は、円筒形や円管形に限定する必要はなく、各種形状に形成することができる。
【００５７】
さらには、上記形態では本体コネクタ１２０のコネクタ基部１２１の外周面上に、Ｏリングなどの単純な形状の密閉パッキン１３０が装着されていることを例示した。しかしながら、図１９ないし図２１に例示する電気機器の要部３０のように、密閉パッキン１５０がユニット部材の圧入方向で厚さが多段階に大きくなっていてもよい。より具体的には、ここで例示する密閉パッキン１５０では、図２０および図２１に示すように、密閉リブ２４０の内周面に密着する下端部分１５１と、この下端部分１５１より厚さが小さい中央部分１５２と、下端部分１５１より厚さが大きい上端部分１５３と、を有している。
【００５８】
このような密閉パッキン１５０は、図２１に示すように、機器本体にユニット部材を圧入すると、下端部分１５１が密閉リブ２４０の内周面に密着し、上端部分１５３は上方に変形して密閉リブ２４０の内周面に密着する。このため、密閉パッキン１５０による密閉性を、より向上させることができる。しかも、この密閉パッキン１５０では、中央部分１５２の厚さが小さいので、機器本体からユニット部材を抜去するとき、厚さが大きい上端部分１５３が凹状の中央部分１５２に位置するので、機器本体からユニット部材を円滑に抜去することができる。
【００５９】
また、上記形態では携帯電話端末１０の携帯電話本体１００の本体ハウジング１１０にスライド凹部１１１が形成されているとともに、バッテリーユニット２００のユニットハウジング２１０にスライド凸部２１１が形成されていることを例示した。しかしながら、携帯電話本体１００の本体ハウジング１１０にスライド凸部が形成されているとともに、バッテリーユニット２００のユニットハウジング２１０にスライド凹部が形成されていてもよい（図示せず）。
【００６０】
さらには、上記形態では携帯電話端末１０の携帯電話本体１００のスライド凹部１１１がアリミゾ状に形成されているとともに、バッテリーユニット２００のスライド凸部２１１がアリホゾ状に形成されていることを例示した。しかしながら、たとえば、携帯電話本体のスライド凹部が前方で幅広のＴ字状の平面形状に形成されており、バッテリーユニットのスライド凸部も前方が幅広のＴ字状の平面形状に形成されていてもよい（図示せず）。
【００６１】
また、上記形態では携帯電話端末１０の携帯電話本体１００の本体ハウジング１１０の下端から上方の途中までスライド凹部１１１が形成されているとともに、バッテリーユニット２００のユニットハウジング２１０に下端から上方の途中までスライド凸部２１１が形成されていることを例示した。しかしながら、携帯電話本体の本体ハウジングの上端から下方の途中までスライド凹部が形成されているとともに、バッテリーユニットのユニットハウジングに上端から下方の途中までスライド凸部が形成されていてもよく、必要な強度を確保できるならば、このようなスライド凹部やスライド凸部が左右方向や前後方向に形成されていてもよい（図示せず）。
【００６２】
さらには、上記形態では携帯電話本体１００の本体コネクタ１２０の一対のコネクタ電極１２２，１２３と、バッテリーユニット２００のユニットコネクタ２２０の一対のコネクタ電極２２２，２２３と、が個々に圧接されて電気接続されることを例示した。しかしながら、このようなコネクタ電極１２２，１２３とコネクタ電極２２２，２２３とが、個々に嵌合して電気接続してもよい（図示せず）。
【００６３】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【００６４】
また、上記形態の一部ないし全部は、以下に例示する複数の付記のようにも記載しうるが、以下の記載に限定するものではない。
【００６５】
（付記１）
スライド凸部およびスライド凹部の、ユニット部材のユニットハウジングの表面に形成されている一方とスライド挿抜される他方が、裏面の一端から途中まで形成されている本体ハウジングと、上記本体ハウジングに形成されている上記他方の他端に形成されていて、上記ユニット部材に形成されている上記一方の他端に形成されているユニットコネクタとスライド方向に接続される本体コネクタと、上記本体コネクタの外周面に装着されていて、上記ユニットコネクタの外側に形成されている管状の密閉部材の内周面が、外周面に密着する無端体状の密閉パッキンと、を有している機器本体。
【００６６】
（付記２）
スライド凸部およびスライド凹部の、ユニット部材のユニットハウジングの表面に形成されている一方とスライド挿抜される他方が、裏面の一端から途中まで形成されている本体ハウジングと、上記本体ハウジングに形成されている上記他方の他端に形成されていて、上記ユニット部材に形成されている上記一方の他端に形成されているユニットコネクタとスライド方向に接続される本体コネクタと、上記本体コネクタの外側に管状に形成されていて、上記ユニットコネクタの外周面に装着されている無端体状の密閉パッキンが密着する、内周面が形成されている密閉部材と、を有している機器本体。
【００６７】
（付記３）
上記密閉パッキンは、上記密閉部材が圧入される方向に従って厚さが大きくなっている、付記１または２に記載の機器本体。
【００６８】
（付記４）
上記密閉パッキンは、上記密閉部材が圧入される方向に変形する、付記３に記載の機器本体。
【００６９】
（付記５）
スライド凸部およびスライド凹部の、機器本体の本体ハウジングの表面に形成されている一方とスライド挿抜される他方が、裏面の一端から途中まで形成されているユニットハウジングと、上記ユニットハウジングに形成されている上記他方の他端に形成されていて、上記機器本体に形成されている上記一方の他端に形成されている本体コネクタとスライド方向に接続されるユニットコネクタと、上記ユニットコネクタの外周面に装着されていて、上記本体コネクタの外側に形成されている管状の密閉部材の内周面が、外周面に密着する無端体状の密閉パッキンと、を有しているユニット部材。
【００７０】
（付記６）
スライド凸部およびスライド凹部の、機器本体の本体ハウジングの表面に形成されている一方とスライド挿抜される他方が、裏面の一端から途中まで形成されているユニットハウジングと、上記ユニットハウジングに形成されている上記他方の他端に形成されていて、上記機器本体に形成されている上記一方の他端に形成されている本体コネクタとスライド方向に接続される本体コネクタと、上記ユニットコネクタの外側に管状に形成されていて、上記本体コネクタの外周面に装着されている無端体状の密閉パッキンが密着する、内周面が形成されている密閉部材と、を有しているユニット部材。
【００７１】
（付記７）
相互にスライド挿抜されるスライド凸部およびスライド凹部の、一方が表面の一端から途中まで形成されているユニット部材のユニットハウジングと、上記他方が裏面の一端から途中まで形成されている機器本体の本体ハウジングと、上記ユニット部材に形成されている上記一方の他端に形成されているユニットコネクタと、上記本体ハウジングに形成されている上記他方の他端に形成されていて一方とスライド方向に接続される本体コネクタと、上記本体コネクタの外周面に装着されている無端体状の密閉パッキンと、上記ユニットコネクタの外側に管状に形成されていて、内周面に上記密閉パッキンが密着する密閉部材と、を有している電気機器。
【００７２】
（付記８）
相互にスライド挿抜されるスライド凸部およびスライド凹部の、一方が表面の一端から途中まで形成されているユニット部材のユニットハウジングと、上記他方が裏面の一端から途中まで形成されている機器本体の本体ハウジングと、上記ユニット部材に形成されている上記一方の他端に形成されているユニットコネクタと、上記本体ハウジングに形成されている上記他方の他端に形成されていて一方とスライド方向に接続される本体コネクタと、上記ユニットコネクタの外周面に装着されている無端体状の密閉パッキンと、上記本体コネクタの外側に管状に形成されていて、内周面が上記密閉パッキンに密着する密閉部材と、を有している電気機器。
【００７３】
（付記９）
相互にスライド挿抜するスライド凸部およびスライド凹部の、一方が表面の一端から途中まで形成されているユニット部材のユニットハウジングに、他方が裏面の一端から途中まで形成されている機器本体の本体ハウジングを上記スライド凸部および上記スライド凹部の係合で一体に接合し、上記ユニット部材に形成されている上記一方の他端に形成されているユニットコネクタ、および、上記本体ハウジングに形成されている上記他方の他端に形成されていて一方とスライド方向に接続される本体コネクタ、を電気接続し、上記本体コネクタの外周面に装着されている無端体状の密閉パッキンを上記ユニットコネクタの外側に管状に形成されている密閉部材の内周面に密着させる、電気機器の密閉方法。
【００７４】
（付記１０）
相互にスライド挿抜するスライド凸部およびスライド凹部の、一方が表面の一端から途中まで形成されているユニット部材のユニットハウジングに、他方が裏面の一端から途中まで形成されている機器本体の本体ハウジングを上記スライド凸部および上記スライド凹部の係合で一体に接合し、上記ユニット部材に形成されている上記一方の他端に形成されているユニットコネクタ、および、上記本体ハウジングに形成されている上記他方の他端に形成されていて一方とスライド方向に接続される本体コネクタ、を電気接続し、上記ユニットコネクタの外周面に装着されている無端体状の密閉パッキンを上記本体コネクタの外側に管状に形成されている密閉部材の内周面に密着させる、電気機器の密閉方法。
【００７５】
（付記１１）
上記密閉パッキンは、上記密閉部材が圧入される方向に従って厚さが多段階に大きくなっている、付記３または４に記載の機器本体。
【００７６】
（付記１２）
上記密閉部材は、上記密閉パッキンが圧入される方向に従って厚さが大きくなっている、付記５または６に記載のユニット部材。
【００７７】
（付記１３）
上記密閉部材は、上記密閉パッキンが圧入される方向に厚さが多段階に大きくなっている、付記１２に記載のユニット部材。
【００７８】
（付記１４）
上記機器本体に電力を供給するバッテリーユニットからなる、付記５または６または１２または１３に記載のユニット部材。
【００７９】
（付記１５）
上記ユニット部材が上記機器本体に電力を供給するバッテリーユニットからなる、付記７または８に記載の電気機器。
【符号の説明】
【００８０】
１０  電気機器であり携帯端末装置である携帯電話端末
１００  機器本体である携帯電話本体
１１０  本体ハウジング
１１１  スライド凹部
１２０  本体コネクタ（ユニットコネクタ）
１３０  密閉パッキン
１４１  本体コネクタ
１５０  密閉パッキン
２００  ユニット部材であるバッテリーユニット
２１０  ユニットハウジング
２１１  スライド凸部
２２０  ユニットコネクタ（本体コネクタ）
２３０  密閉リブ
２４０  密閉リブ
２５０  ユニットコネクタ
【図１】
2014093231.tif 000003
【図２】
2014093231.tif 000004
【図３】
2014093231.tif 000005
【図４】
2014093231.tif 000006
【図５】
2014093231.tif 000007
【図６】
2014093231.tif 000008
【図７】
2014093231.tif 000009
【図８】
2014093231.tif 000010
【図９】
2014093231.tif 000011
【図１０】
2014093231.tif 000012
【図１１】
2014093231.tif 000013
【図１２】
2014093231.tif 000014
【図１３】
2014093231.tif 000015
【図１４】
2014093231.tif 000016
【図１５】
2014093231.tif 000017
【図１６】
2014093231.tif 000018
【図１７】
2014093231.tif 000019
【図１８】
2014093231.tif 000020
【図１９】
2014093231.tif 000021
【図２０】
2014093231.tif 000022
【図２１】
2014093231.tif 000023